(57)【要約】 【課題】投写光学系の移動方向を容易に理解することができるプロジェクタを提供すること。【解決手段】投写レンズ位置調整装置３０では、第１のダイアル３１１の外装ケース２から露出した部分を下方に回転させると、歯車３１３がＲ２方向に回転する。これにより、Ｙスライダ３１４が下方（Ｙ３方向）に移動する。そして、Ｙテーブル３４が下方に移動し、投写レンズが下方に移動することとなる。また、第１のダイアル３１１の外装ケース２から露出した部分を上方に回転させると、投写レンズは上方に移動する。さらに、第２のダイアル３２１の外装ケースから露出した部分をプロジェクタ後方から見て左に回転させると、投写レンズは左側に移動し、第２のダイアル３２１を右側に回転させると、投写レンズは右側に移動する。【選択図】 図８
2005062852.tif 000002
【特許請求の範囲】
【請求項１】
光源から射出された光束を、画像情報に応じて変調して光学像を形成し、投写光学系により、拡大投写するプロジェクタであって、
前記投写光学系を投写方向に直交する面内で移動させ、前記投写光学系の投写位置を調整する投写光学系位置調整装置と、
この投写光学系位置調整装置及び前記投写光学系を収納する筐体とを備え、
前記投写光学系位置調整装置は、前記筐体に収納した際に、筐体から露出し、前記投写光学系の位置調整を行う第１のダイアルと、第２のダイアルとを備え、
第１のダイアルを回転させることによる投写光学系の移動方向は、前記第２のダイアルを回転させることによる投写光学系の移動方向と略直交しており、
前記筐体から露出した部分における前記第１のダイアル及び第２のダイアルの回転方向は、前記投写光学系を移動させる方向と略一致していることを特徴とするプロジェクタ。
【請求項２】
請求項１に記載のプロジェクタにおいて、
前記投写光学系位置調整装置は、前記筐体に固定され、投写光学系が移動する孔が形成された基部と、
この基部上を摺動自在に設けられ、前記投写光学系が取り付けられる台座と、
前記第１のダイアルの回転を前記台座に伝達し、この台座を直線駆動させる第１の伝達部と、
第２のダイアルの回転を前記台座に伝達し、この台座を直線駆動させる第２の伝達部とを備えることを特徴とするプロジェクタ。
【請求項３】
請求項２に記載のプロジェクタにおいて、
前記各伝達部は、前記台座に固定され、台座とともに摺動するスライダと、前記第１のダイアル又は第２のダイアルの回転に伴って回転し、前記スライダに噛合する歯車とを備えることを特徴とするプロジェクタ。
【請求項４】
請求項１から３の何れかに記載のプロジェクタにおいて、
投写光学系位置調整装置には、前記投写光学系の基準位置を認識する認識手段が設けられており、
前記認識手段は、前記第１のダイアル及び第２のダイアルの回転トルクを変化させるものであることを特徴とするプロジェクタ。
【請求項５】
請求項４に記載のプロジェクタにおいて、
前記投写光学系位置調整装置は、前記筐体に固定され、投写光学系が移動する孔が形成された基部と、
この基部上を摺動自在に設けられ、前記投写光学系が取り付けられる台座と、
前記第１のダイアルの回転を前記台座に伝達し、この台座を直線駆動させる第１の伝達部と、
前記第２のダイアルの回転を前記台座に伝達し、この台座を直線駆動させる第２の伝達部とを備え、
前記認識手段は、凹部又は凸部が形成された前記各伝達部と、前記各伝達部側に付勢されて前記伝達部に当接するとともに、凸部又は凹部が形成された付勢部材とを備え、
前記基準位置において、凹部と凸部とが係合することにより、前記第１のダイアル及び第２のダイアルの回転トルクが変化することを特徴とするプロジェクタ。
【請求項６】
請求項４に記載のプロジェクタにおいて、
前記投写光学系位置調整装置は、前記筐体に固定され、投写光学系が移動する孔が形成された基部と、この基部上を摺動自在に設けられ、前記投写光学系が取り付けられる台座とを備え、
前記第１のダイアル及び第２のダイアルは、前記筐体から露出するダイアル本体及びこのダイアル本体に設けられ、前記基部に固定される軸部をそれぞれ有し、
前記認識手段は、凹部又は凸部が形成された前記軸部と、この軸部側に付勢されて、前記軸部に当接するとともに、凸部又は凹部が形成された付勢部材とを備え、
前記基準位置において、凹部と凸部とが係合することにより、前記第１のダイアル及び第２のダイアルの回転トルクが変化することを特徴とするプロジェクタ。
【請求項７】
請求項４から６の何れかに記載のプロジェクタにおいて、
前記投写光学系の基準位置は、前記投写光学系の移動方向略中間位置であることを特徴とするプロジェクタ。
【発明の詳細な説明】
【技術分野】
【０００１】
本発明は、プロジェクタに関する。
【背景技術】
【０００２】
従来から、会議、学会、展示会等でのプレゼンテーションにプロジェクタを用いることが知られている。このプロジェクタは、光源から射出された光束を画像情報に応じて変調し、さらに合成して、投写光学系により拡大投写し、スクリーンに映しだすものである。
このようなプロジェクタでは、プロジェクタを低い位置に固定して上方にあおり投写する場合や、高い位置に固定して下方にあおり投写する場合がある。そのため、光変調装置等の光学系に対して、光束が射出される方向と直交する方向に投写光学系を移動させる投写光学系位置調整装置が設けられたものが知られている（例えば、特許文献１）。この投写光学系位置調整装置は、回転ノブであるつまみを左右に回転させ、ねじ駆動することにより、投写光学系を上下に昇降させる構造である。
【０００３】
【特許文献１】特開平１０−１７１０４４号公報（第３〜４頁、図２）
【発明の開示】
【発明が解決しようとする課題】
【０００４】
しかしながら、このような投写光学系位置調整装置では、投写光学系位置調整装置のつまみの回転方向と、投写光学系の移動方向とが一致していないため、投写光学系が上下のどちらに移動するのかが、わかりにくいという問題があった。
【０００５】
本発明の目的は、投写光学系の移動方向を容易に理解することができるプロジェクタを提供することである。
【課題を解決するための手段】
【０００６】
本発明のプロジェクタは、光源から射出された光束を、画像情報に応じて変調して光学像を形成し、投写光学系により、拡大投写するプロジェクタであって、前記投写光学系を投写方向に直交する面内で移動させ、前記投写光学系の投写位置を調整する投写光学系位置調整装置と、この投写光学系位置調整装置及び前記投写光学系を収納する筐体とを備え、前記投写光学系位置調整装置は、前記筐体に収納した際に、筐体から露出し、前記投写光学系の位置調整を行う第１のダイアルと、第２のダイアルとを備え、第１のダイアルを回転させることによる投写光学系の移動方向は、前記第２のダイアルを回転させることによる投写光学系の移動方向と略直交しており、前記筐体から露出した部分における前記第１のダイアル及び第２のダイアルの回転方向は、前記投写光学系を移動させる方向と略一致していることを特徴とする。
【０００７】
このような本発明では、投写光学系の位置調整を行うための第１のダイアル、第２のダイアルの筐体から露出した部分の回転方向と、投写光学系の移動方向とが略一致しているため、使用者は、投写光学系の移動方向を容易に理解することができる。これにより、使用者は、スムーズに投写光学系の位置調整を行うことができる。
特に、投写光学系が略直交する２方向に移動する構成の場合には、ダイアルの回転方向と、投写光学系の移動方向とが一致していないと、使用者が投写光学系の移動方向が理解できず、混乱する可能性が高いが、本発明では、第１のダイアル、第２のダイアルの筐体から露出した部分の回転方向と、投写光学系の移動方向とを略一致させることで、使用者が容易に投写光学系の移動方向を理解することができ、使用者にとって使い勝手のよいものとなる。
【０００８】
本発明では、前記投写光学系位置調整装置は、前記筐体に固定され、投写光学系が移動する孔が形成された基部と、この基部上を摺動自在に設けられ、前記投写光学系が取り付けられる台座と、前記第１のダイアルの回転を前記台座に伝達し、この台座を直線駆動させる第１の伝達部と、第２のダイアルの回転を前記台座に伝達し、この台座を直線駆動させる第２の伝達部とを備えることが好ましい。
このような本発明によれば、第１のダイアル、第２のダイアルを回転させると、第１の伝達部、第２の伝達部によりこの回転が台座に伝達され、台座が直線駆動することとなる。投写光学系は台座に取り付けられているので、投写光学系も直線駆動することとなり、これにより、投写光学系の位置調整が行われる。
【０００９】
本発明では、前記各伝達部は、前記台座に固定され、台座とともに摺動するスライダと、前記第１のダイアル又は第２のダイアルの回転に伴って回転し、前記スライダに噛合する歯車とを備えることが好ましい。
歯車は、スライダに噛合しているため、歯車がダイアルの回転により回転すると、スライダが駆動されることとなる。スライダの駆動に伴い台座が移動し、これにより投写光学系の位置調整が行われる。
このような本発明では、歯車及びスライダによりダイアルの回転を直線駆動に変換しているため、構造が簡素であり、投写光学系位置調整装置が複雑化しない。
【００１０】
本発明では、投写光学系位置調整装置には、前記投写光学系の基準位置を認識する認識手段が設けられており、前記認識手段は、前記第１のダイアル及び第２のダイアルの回転トルクを変化させるものであることが好ましい。
このような本発明によれば、投写光学系の基準位置を認識するための認識手段が設けられており、この認識手段はダイアルの回転トルクを変化させるもの、すなわち、ダイアルを回転させるのに必要な力を変化させるものであるため、ダイアルを回転させながら、投写光学系の位置を容易に確認することができる。これにより、使用者の使い勝手を向上させることができる。
【００１１】
本発明では、前記投写光学系位置調整装置は、前記筐体に固定され、投写光学系が移動する孔が形成された基部と、この基部上を摺動自在に設けられ、前記投写光学系が取り付けられる台座と、前記第１のダイアルの回転を前記台座に伝達し、この台座を直線駆動させる第１の伝達部と、前記第２のダイアルの回転を前記台座に伝達し、この台座を直線駆動させる第２の伝達部とを備え、前記認識手段は、凹部又は凸部が形成された前記各伝達部と、前記各伝達部側に付勢されて前記伝達部に当接するとともに、凸部又は凹部が形成された付勢部材とを備え、前記基準位置において、凹部と凸部とが係合することにより、前記第１のダイアル及び第２のダイアルの回転トルクが変化することが好ましい。
【００１２】
伝達部に凸部が形成されている場合には、凹部が形成された付勢部材を使用する。また、伝達部に凹部が形成されている場合には、凸部が形成された付勢部材を使用する。
例えば、伝達部に凹部が形成され、付勢部材に凸部が形成されている場合、投写光学系が基準位置に達するまでの間は、凸部は、伝達部材側に付勢されて伝達部に当接している。伝達部はダイアルの回転に伴って駆動するため、凸部と伝達部との間には一定の摩擦力が発生し、これがダイアルの回転トルクとなる。投写光学系が基準位置に達すると、凹部と凸部とが係合し、摩擦力が小さくなって、ダイアルの回転トルクが軽くなる。これにより、基準位置を容易に確認することが可能となる。
なお、伝達部に凸部が形成され、付勢部材に凹部が形成されている場合においても、同様の作用効果を奏することができる。
また、伝達部はダイアルと直接接続されている部分であるため、凹部と凸部とが係合した際の摩擦力の変化をダイアルに直接伝えることができる。これにより、ダイアルの回転トルクの変化を使用者が確実に感じ取ることができ、より使い勝手のよいものとすることができる。
さらに、本発明の認識手段は、凹部と凸部とが係合する構成であるため、認識手段の構造が複雑化しない。
【００１３】
本発明では、前記投写光学系位置調整装置は、前記筐体に固定され、投写光学系が移動する孔が形成された基部と、この基部上を摺動自在に設けられ、前記投写光学系が取り付けられる台座とを備え、前記第１のダイアル及び第２のダイアルは、前記筐体から露出するダイアル本体及びこのダイアル本体に設けられ、前記基部に固定される軸部をそれぞれ有し、前記認識手段は、凹部又は凸部が形成された前記軸部と、この軸部側に付勢されて、前記軸部に当接するとともに、凸部又は凹部が形成された付勢部材とを備え、前記基準位置において、凹部と凸部とが係合することにより、前記第１のダイアル及び第２のダイアルの回転トルクが変化するものであってもよい。
軸部に凹部が形成されている場合には、凸部が形成された付勢部材を用い、軸部に凸部が形成されている場合には、凹部が形成された付勢部材を用いる。
【００１４】
このような本発明によれば、例えば、軸部に凹部が形成され、付勢部材に凸部が形成されている場合には、投写光学系が基準位置に達するまでの間は、凸部は、軸部側に付勢されて軸部に当接している。そして、軸部の回転により、凸部との間には摩擦が生じ、これがダイアルの回転トルクとなる。投写光学系が基準位置に達すると、凹部と凸部とが係合し、摩擦力が小さくなってダイアルの回転トルクが軽くなる。これにより、基準位置を容易に確認することが可能となる。
【００１５】
なお、軸部に凸部が形成され、付勢部材に凹部が形成されている場合においても、同様の作用効果を奏することができる。
さらに、本発明では、ダイアル自体に凹部又は凸部を形成しているため、凹部と凸部とが係合した際の摩擦力の変化を回転トルクの変化として、使用者がより確実に感じ取ることができる。
さらに、本発明の認識手段は、凹部と凸部とが係合する構成であるため、認識手段の構造が複雑化しない。
【００１６】
本発明では、前記投写光学系の基準位置は、前記投写光学系の移動方向略中間位置であることが好ましい。
基準位置を投写光学系の移動方向略中間位置（センター位置）とすることで、使用者はセンター位置を容易に認識することができる。例えば、投写光学系の光軸と、スクリーンに映る画面の中心を略一致させて使用する場合等に有用である。
【発明を実施するための最良の形態】
【００１７】
以下、本発明の実施形態を図面に基づいて説明する。
［第１実施形態］
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。図４は、プロジェクタ１の外装ケース２の一部を示す斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２、およびこの外装ケース２から露出する投写レンズ３を備えている。
投写レンズ３は、後述する光変調装置としての液晶パネルで変調形成された光学像を拡大投写する投写光学系としての機能を具備するものであり、レンズ保持筒内部に複数のレンズが収納された組レンズとして構成される。
【００１８】
外装ケース２は、平面略矩形形状の合成樹脂製の筐体であり、プロジェクタ１の光学ユニット（後述）を含む装置本体（後述）を収納する。この外装ケース２は、装置本体の上部部分を覆うアッパーケース２１と、装置本体の下部部分を覆うロアーケース２２と、装置本体の前面部分を覆うフロントケース２３と、装置本体の側面部分の一部を覆うサイドケース２４と、装置本体の背面部分を覆うリアケース２５（図３参照）を備えている。
なお、この外装ケース２の上面、前面、側面、底面、背面の角部分は、曲面状に形成されている。
アッパーケース２１は、装置本体の上部を覆う平面略矩形形状の上面部２１Ａと、この上面部２１Ａの長辺方向の一方の端部から略垂下する側面部２１Ｂと、上面部２１Ａの長辺方向の他方の端部の前方部分から略垂下する側面部２１Ｃと、上面部２１Ａの後端部から略垂下する背面部２１Ｄ（図３参照）とを備えている。
上面部２１Ａの後方側略中央部分には、図１または図３に示すように、プロジェクタ１の起動・調整操作を実施する操作パネル２６が左右方向に延びるように設けられている。操作パネル２６の操作ボタン２６１を適宜押下すると、操作パネル２６内部に配置される図示しない回路基板に実装されたタクトスイッチと接触し、所望の操作が可能となる。また、前記回路基板には、ここでは図示しないＬＥＤが取り付けられており、所望の操作に応じて発光するようになっている。
さらに、操作パネル２６は、操作ボタン２６１を囲むように配置される化粧板２６２を備えており、前記ＬＥＤからの光は化粧板２６２を介して拡散される。
【００１９】
また、この上面部２１Ａの前方側（図１右側）からは、投写レンズ３を上下左右に動かし、投写レンズ３の位置を調整する投写レンズ位置調整装置３０（図４参照）を構成する２つのダイアル（第１のダイアル３１１、第２のダイアル３２１）３１１，３２１が露出している。この２つのダイアル３１１，３２１のうち、図１左側に配置されたダイアル３１１をＹ１方向（下方）に動かすと、投写レンズ３がＹ３方向（下方）に動き、ダイアル３１１をＹ２方向（上方）に動かすと、投写レンズ３がＹ４方向（上方）に動くこととなる。
また、図１右側に配置されたダイアル３２１をＸ１方向（プロジェクタ１後方からみて右方向）に動かすと、投写レンズ３がＸ３方向（右方向）に動き、ダイアル３２１をＸ２方向（プロジェクタ１後方から見て左方向）に動かすと、投写レンズ３がＸ４方向（左方向）に動くこととなる。すなわち、ダイアル３１１とダイアル３２１による投写レンズの３の移動方向は略直交している。
さらに、上面部２１Ａの内面側には、図示しないが、投写レンズ３の外周を囲うようなリブが立設されている。
【００２０】
側面部２１Ｃには、複数の羽根板７１１から構成されるルーバ７１が露出する切り欠き２１Ｃ１が形成されている。
また、図３に示すように、背面部２１Ｄには、リアケース２５が係合する切り欠き２１Ｄ１が形成されている。
【００２１】
ロアーケース２２は、図１〜図４に示すように、底面部２２Ａ、側面部２２Ｂ、２２Ｃ、背面部２２Ｄ、前面部２２Ｅを備えている。
図２に示すように、底面部２２Ａは、平面略矩形形状であり、この底面部２２Ａのプロジェクタ１の後方側略中央には、固定脚部２２Ａ１が設けられるとともに、前方側長辺方向両端に調整脚部２７が設けられている。
調整脚部２７は、底面部２２Ａから面外方向に進退自在に突出する軸状部材２７１（図５参照）を備えており、プロジェクタ１の投写時におけるプロジェクタ１の上下方向および左右方向の傾斜位置を調整可能としている。
また、底面部２２Ａには、外装ケース２の内部と連通する開口部２２Ａ３が形成されている。
この開口部２２Ａ３は、外装ケース２外部の冷却空気を外装ケース２内部に取り込む吸気口であり、この開口部２２Ａ３には、複数の開口が形成されたカバー２２Ａ５が取り付けられている。
さらに、この底面部２２Ａには、図４に示すように、投写レンズ３の外周を囲うようなリブ２２Ａ６が立設されている。
【００２２】
側面部２２Ｂは、底面部２２Ａの長辺方向の一方の端部から立設されたものであり、図２に示すように、アッパーケース２１の側面部２１Ｂと係合して、外装ケース２の側面を構成する。
この側面部２２Ｂには、図２に示すように、アッパーケース２１側に窪んだ窪み部２２Ｂ１が形成されており、この窪み部２２Ｂ１はプロジェクタ１を把持する際に把持部として使用される。
図１に示すように、側面部２２Ｃは、底面部２２Ａの長辺方向の他方の端部の前方側部分から立設されたものであり、アッパーケース２１の側面部２１Ｃと係合して、外装ケース２の側面の一部を構成する。この側面部２２Ｃは、その上端が大きく切りかかれており、この切り欠き２２Ｃ１からルーバ７１が露出する。すなわち、側面部２１Ｃの切り欠き２１Ｃ１と、側面部２２Ｃの切り欠き２２Ｃ１とにより、ルーバ７１が露出する開口が形成される。この開口からは、プロジェクタ１内部を冷却した空気が排出されることとなる。
図３に示すように、背面部２２Ｄは、底面部２２Ａの短辺方向の一方の端部から立設されたものであり、この背面部２２Ｄには、リアケース２５が係合する切り欠き２２Ｄ１が形成されている。すなわち、本実施形態では、背面部２１Ｄ，２２Ｄ、リアケース２５とで、外装ケース２の背面が構成されることとなる。
この背面部２２Ｄには、矩形状の開口２２Ｄ２が形成され、この開口２２Ｄ２からは、インレットコネクタ２２Ｄ３が露出している。インレットコネクタ２２Ｄ３は、外部電源からプロジェクタ１に電力を供給する端子であり、後述する電源ユニットと電気的に接続される。
再度、図１に示すように、前面部２２Ｅは、底面部２２Ａの短辺方向の他方の端部から立設されたものである。この前面部２２Ｅは、フロントケース２３と係合し、これらにより外装ケース２の前面が構成されることとなる。
【００２３】
図１及び図２に示すように、フロントケース２３は、略楕円形状であり、その長手方向端部側（図１右側）に投写レンズ３を露出させるための開口２３１が形成されている。なお、この開口２３１から露出する投写レンズ３には、ここでは図示しないが、開口２３１及び投写レンズ３の外周間の隙間を塞ぐ第１の遮光部材と、投写レンズ３及び投写レンズ位置調整装置３０との間の隙間を塞ぐ第２の遮光部材１２と（図４参照）が取り付けられている。
また、このフロントケース２３の略中央部分には、リモコン受光窓２３２が形成される。このリモコン受光窓２３２の内側には、図示しないリモートコントローラからの操作信号を受信する図示しないリモコン受光モジュールが配置されている。
尚、リモートコントローラには、前述した操作パネル２６に設けられる起動スイッチ、調整スイッチ等と同様のものが設けられていて、リモートコントローラを操作すると、この操作に応じた赤外線信号がリモートコントローラから出力され、赤外線信号は、リモコン受光窓２３２を介して受光部で受光され、後述する制御基板で処理される。
さらに、フロントケース２３の内面には、図４に示すように、投写レンズ３の外周を囲むようにリブ２３４が立設されており、リブ２３４、ロア−ケース２２の底面部２２Ａのリブ２２Ａ６、アッパーケース２１の上面部２１Ａのリブとで投写レンズ３の周囲を囲むレンズ室が形成されることとなる。
【００２４】
サイドケース２４は、図１及び図３に示すように、上面部２４Ａと、上面部２４Ａから略垂下した側面部２４Ｃとを備えている。上面部２４Ａは、アッパーケース２１の上面部２１Ａに係合して、外装ケース２の上面を構成する。
側面部２４Ｃは、アッパーケース２１の側面部２１Ｃ、ロア−ケース２２の側面部２２Ｃに係合する。
【００２５】
図３に示すように、リアケース２５は、アッパーケース２１の背面部２１Ｄの切り欠き２１Ｄ１と、ロアーケース２２の背面部２２Ｄの切り欠き２２Ｄ１とで形成される開口に嵌め込まれて固定されるものである。
このリアケース２５は平面略矩形形状であり、その長手方向端部近傍には、フロントケース２３と同様のリモコン受光窓２３２が形成されている。
また、このリアケース２５には、外装ケース２内部側に窪んだ凹部２５１が形成されており、この凹部２５１から複数の接続端子２５２が露出している。
接続端子２５２は、外部の電子機器からの画像信号、音声信号等を入力するためのものであり、この接続端子２５２は、リアケース２５の内側に位置するインターフェイス基板に接続されている。
なお、このインターフェイス基板は、後述する制御基板と、電気的に接続されており、このインターフェイス基板にて処理された信号は、制御基板に出力される。
【００２６】
（２）内部構成
図５は、プロジェクタ１の内部構成を示す図である。具体的には、外装ケース２のロアーケース２２のみ残し、アッパーケース２１と、フロントケース２３と、サイドケース２４と、リアケース２５とを外した図である。
外装ケース２の内部には、プロジェクタ１の装置本体８が収容されており、この装置本体８は、外装ケース２の長手方向に沿って左右方向に延びる光学ユニット４と、この光学ユニット４の上方に配置される制御基板５と、電源ユニット６とを備えている。
（2-1）光学ユニット４の構造
光学ユニット４は、光源装置から射出された光束を画像情報に応じて変調して光学像を形成し、投写レンズ３を介してスクリーン上に投写画像を形成するものである。この光学ユニット４は、図６に示すように、インテグレータ照明光学系４１と、色分離光学系４２と、リレー光学系４３と、光変調装置および色合成光学装置を一体化した光学装置４４と、これら光学部品４１，４２，４３，４４を収納配置する略直方体形状の内部ケース４５（図７参照）とに機能的に大別される。
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成される。
【００２７】
光源装置４１１は、放射光源としての光源ランプ４１１Ａ、リフレクタ４１１Ｂ、およびリフレクタ４１１Ｂの光束射出面を覆う防爆ガラス４１１Ｃを備える。そして、光源ランプ４１１Ａから射出された放射状の光束は、リフレクタ４１１Ｂで反射されて略平行光束とされ、外部へと射出される。本実施形態では、光源ランプ４１１Ａとして、高圧水銀ランプを採用し、リフレクタ４１１Ｂとして、放物面鏡を採用している。なお、光源ランプ４１１Ａとしては、高圧水銀ランプに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００２８】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２９】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１１Ａからの光束の略半分が利用されない。このため、偏光変換素子４１４を用いることにより、光源ランプ４１１Ａから射出された光束を略１種類の偏光光に変換し、光学装置４４における光の利用効率を高めている。なお、このような偏光変換素子４１４は、例えば、特開平８−３０４７３９号公報に紹介されている。
【００３０】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
リレー光学系４３は、入射側レンズ４３１と、一対のリレーレンズ４３３と、反射ミラー４３２，４３５とを備えている。このリレー光学系４３は、色分離光学系４２で分離された色光である青色光を光学装置４４の後述する液晶パネル４４１Ｂまで導く機能を有している。
【００３１】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色用の液晶パネル４４１Ｒに到達する。このフィールドレンズ４１９は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４１９も同様である。
【００３２】
また、ダイクロイックミラー４２１を透過した青色光と緑色光のうちで、緑色光は、ダイクロイックミラー４２２によって反射し、フィールドレンズ４１９を通って、緑色光用の液晶パネル４４１Ｇに到達する。一方、青色光は、ダイクロイックミラー４２２を透過してリレー光学系４３を通り、さらにフィールドレンズ４１９を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００３３】
光学装置４４は、入射された光束を画像情報に応じて変調してカラー画像を形成する。この光学装置４４は、色分離光学系４２で分離された各色光が入射される３つの入射側偏光板４４２と、この入射側偏光板４４２の後段に配置される光変調装置としての液晶パネル４４１（４４１Ｒ，４４１Ｇ，４４１Ｂ）および射出側偏光板４４４と、色合成光学装置としてのクロスダイクロイックプリズム４４５とを備える。
【００３４】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３５】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３６】
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３７】
図７は、内部ケース４５の構造を示す図である。
内部ケース４５は、射出成形等による合成樹脂製品であり、上述した光学部品４１，４２，４３，４４が収納される下内部ケース４６と、この下内部ケース４６の上面の開口部分を塞ぐ蓋状の上内部ケース４７とを備える。
下内部ケース４６は、光源装置４１１が収納される光源収納部４８と、光源装置４１１を除く他の光学部品が収納される容器状に形成された部品収納部４９とを備えている。
【００３８】
光源収納部４８は、略箱型形状であり、部品収納部４９側の端面及びこの端面に対向する端面に開口が形成されている。部品収納部４９側の端面に形成された開口は、光源装置４１１から射出された光束を透過させるためのものである。また、部品収納部４９側の端面に対向する端面に形成された開口は、光源装置４１１を光源収納部４８の側方から差し込むようにして収容するための開口である。
部品収納部４９は、上面が開口した略直方体形状であり、その一端は光源収納部４８に接続されている。また、この部品収納部４９の他端には、投写レンズ３がネジ止め固定されるヘッド部５０が取り付けられている。このヘッド部５０は、内部ケース４５内に設定される照明光軸に対する所定位置に投写レンズ３を設置するためのものである。
部品収納部４９には、ここでは、具体的な図示は省略するが、光学部品４１２〜４１５，４１９，４２１〜４２３，４３１〜４３５を上方からスライド式に嵌め込むための複数の溝部が形成されている。また、この部品収納部４９のヘッド部５０に隣接する部分には、光学装置４４が設置される。
【００３９】
上内部ケース４７は、下内部ケース４６の部品収納部４９における光学装置４４の上方を除く上端開口部分を閉塞する。この上内部ケース４７には、表裏を貫通して複数の開口部４７Ａが形成され、この開口部４７Ａから、内部ケース４５内を冷却した空気が排出されることとなる。
【００４０】
（2-2）制御基板５の構造
図５に示すように、制御基板５は、上述した内部ケース４５の上内部ケース４７の上方に配置される。この制御基板５は、ＣＰＵ（Central Processing Unit）等の演算処理装置が実装された回路基板として構成され、プロジェクタ１全体を制御する。この制御基板５は、前述のインターフェイス基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。また、この制御基板５は、前述の操作パネル２６の回路基板、および前述の図示しないリモコン受光モジュールから出力される操作信号を入力し、この操作信号に基づいてプロジェクタ１の構成部材に適宜、制御指令を出力する。
【００４１】
（2-3）電源ユニット６の構成
電源ユニット６は、光源装置４１１および制御基板５等に電力を供給するものであり、外装ケース２のフロントケース２３の長手方向に沿って配置されている。この電源ユニット６は、電源回路を備えた電源ブロック６１と、この電源ブロック６１の下方に配置されるランプ駆動ブロック（図示略）とを備えている。
電源ブロック６１は、インレットコネクタ２２Ｄ３に接続された電源ケーブルを通して外部から供給された電力をランプ駆動ブロックおよび制御基板５等に供給する。この電源ブロック６１は、入力される交流を低電圧の直流に変換するトランスや該トランスからの出力を所定の電圧に変換する変換回路等が片面に実装された回路基板と、この回路基板を覆うシールド部材としての筒状部材６１１とを備える。このうち、筒状部材６１１は、アルミニウムから構成され、両端が開口された略箱状に形成されている。
ランプ駆動ブロックは、前述した光源装置４１１に安定した電圧で電力を供給するための変換回路であり、電源ブロック６１から入力した商用交流電流は、このランプ駆動ブロックによって整流、変換されて、直流電流や交流矩形波電流となって光源装置４１１に供給される。
【００４２】
なお、このような電源ユニット６の側方には、排気ファン７２が設置されており、電源ユニット６を冷却した空気をルーバ７１が取り付けられた開口から排出している。また、この電源ユニット６と、内部ケース４５の光源収納部４８との間には、ダクト７３が設置されており、光源収納部４８内の光源装置４１１を冷却した空気は、排気ファン７２により引き寄せられ、ダクト７３を通って、開口から排出される。
【００４３】
（３）投写レンズ位置調整装置３０
図８には、投写レンズ位置調整装置３０を示す。この投写レンズ位置調整装置３０は、投写レンズ３を上下方向（Ｙ３方向、Ｙ４方向）、左右方向（Ｘ３方向、Ｘ４方向）に移動させ、投写位置を調整させるものである。
ここで、投写レンズ３の位置調整においては、Ｙ３方向、Ｙ４方向を結ぶ軸をＹ軸と設定し、Ｘ３方向、Ｘ４方向を結ぶ軸をＸ軸と設定する。
図９に示すように、この投写レンズ位置調整装置３０では、投写レンズ３を最上部（Ｙ４方向）に移動させると、投写レンズ３が基準位置（Ｙ軸に沿った投写レンズ３の移動可能範囲の略中心位置）にある場合に投写される画面Ｓ１の位置よりも、画面１つ分上方に投写することができる（画面Ｓ２）。
また、投写レンズ３を最下部（Ｙ３方向）に移動させた場合には、投写レンズ３が基準位置（Ｙ軸に沿った投写レンズ３の移動可能範囲の略中心位置）にある場合に投写される画面Ｓ１の位置よりも、画面半分下方に投写することができる（画面Ｓ３）。
さらに、投写レンズ３をプロジェクタ１後方から見て、最も右側（Ｘ３方向）、或いは最も左側（Ｘ４方向）に移動させた場合には、投写レンズ３が基準位置にある場合（Ｘ軸に沿った投写レンズ３の移動可能範囲の略中心位置）に投写される画面Ｓ１よりも、画面半分右側（画面Ｓ４）或いは左側（画面Ｓ５）に投写することができる。
【００４４】
投写レンズ位置調整装置３０は、図８及び図１０に示すように、外装ケース２に固定され、リブ２２Ａ６（図４）に当接して配置される基部３３と、基部３３上を摺動するＹテーブル３４及びＸテーブル３５から構成される台座３９と、この台座３９のＹテーブル３４を基部３３上で摺動させるためのＹテーブル駆動機構３１と、Ｘテーブル３５を基部３３上で摺動させるためのＸテーブル駆動機構３２とを備える。
図１０及び図１１にも示すように、基部３３は、平面略矩形形状の板状の本体部３３１と、この本体部３３１の両端部から本体部３３１に略直交して設けられ、Ｙテーブル３４側に延出した延出部３３２とを備える。
本体部３３１の略中央部分には、投写レンズ３が挿入されるとともに、投写レンズ３が移動する略正方形形状の孔３３１Ａが形成されている。この孔３３１Ａにより投写レンズ３の移動可能な範囲が決定される。
【００４５】
延出部３３２の延出方向先端部３３３は、本体部３３１と略平行に配置されている。この先端部３３３と、本体部３３１との間にＹテーブル３４のＸ軸方向の端部が差し込まれる。
また、延出部３３２のうち、一方の延出部３３２Ａは、断面Ｔ字型形状となっており、この一方の延出部３３２Ａの先端部３３３Ａには、一対のボス部３３３Ａ１が形成されている。このボス部３３３Ａ１は、後述するＹテーブル駆動機構３１のＹスライダ３１４の長孔３１４Ｂに挿入される。さらに、この先端部３３３Ａには、Ｙ軸方向に延びる長孔３３３Ａ２が形成されている。
また、先端部３３３Ａの上端部には、この先端部３３３Ａと略直交する取り付け片３３３Ａ３が形成されている。この取り付け片３３３Ａ３は、後述するＹテーブル駆動機構３１のダイアル３１１及び歯車３１３を固定するための孔３３３Ａ４，３３３Ａ５が形成されている。
また、延出部３３２のうち他方の延出部３３２Ｂは、断面略Ｌ字型形状であり、先端部３３３Ｂには、後述する取り付け部３８を固定するための孔３３３Ｂ１が形成されている。
【００４６】
台座３９は、投写レンズ３が取り付けられるとともに、基部３３上を摺動するものであり、基部３３上をＹ軸方向に摺動するＹテーブル３４と、このＹテーブル３４の摺動方向と直交する方向（Ｘ軸方向）に摺動するＸテーブル３５とを備える。
Ｙテーブル３４は、図１１及び図１２に示すように、Ｙ軸方向及びＸ軸方向の辺の長さ寸法が前記基部３３よりも短い平面略矩形形状の板状部材である。このＹテーブル３４のＸ軸方向の両端部は、基部３３の先端部３３３と、本体部３３１との間に挿入されて、Ｙテーブル３４は、基部３３上をＹ軸方向に摺動する。Ｙテーブル３４の略中央には、Ｘ軸方向に延びる略楕円形状の孔３４１が形成されている。この孔３４１の短径（Ｙ軸方向の径寸法）の寸法は、投写レンズ３の径と略等しく、長径の寸法（Ｘ軸方向の径寸法）は、基部３３の孔３３１ＡのＸ軸方向の長さ寸法と略等しい。この孔３４１内には、投写レンズ３が挿入される。
また、Ｙテーブル３４には、孔３４１に隣接して略矩形形状の孔３４２が形成されている。この孔３４２は、Ｙテーブル３４にＹスライダ３１４を固定するためのものである。
さらに、Ｙテーブル３４には、孔３４１を挟んで上下（Ｙ軸方向）に対向配置された一対の片３４３が取り付けられている。片３４３は、断面略Ｌ字形であり、Ｙテーブル３４に直交して設けられる直交部３４３Ａと、この直交部３４３Ａに設けられＹテーブル３４と略平行に延びる平行部３４３Ｂとを備える。この平行部３４３ＢとＹテーブル３４との間に、Ｘテーブル３５の端部が挿入されることとなる。
【００４７】
Ｘテーブル３５は、図１２にも示すように、平面矩形形状の板状部材であり、その外形寸法は、Ｙテーブル３４よりも小さなものとなっている。
Ｘテーブル３５の略中央には、投写レンズ３を挿入し、投写レンズ３を保持する略円形形状の孔３５１が形成されている。すなわち、投写レンズ３は、Ｘテーブル３５に取り付けられることとなる。このＸテーブル３５の孔３５１の上部には、一対の突起３５２が形成されている。さらに、Ｘテーブル３５のＹ軸方向の両端部３５３は切りかかれており、この両端部３５３の厚さ寸法は、他の部分よりも薄くなっている。この端部３５３は、それぞれＹテーブル３４の片３４３に挿入され、これにより、Ｘテーブル３５の端部３５３は、片３４３内を摺動することとなる。すなわち、Ｘテーブル３５は、Ｙテーブル３４を介して、基部３３上を摺動する。
【００４８】
Ｙテーブル駆動機構３１は、図１１に示すように、Ｙテーブル３４を基部３３上で直線駆動させるためのものであり、ダイアル３１１と、ダイアル３１１の回転をＹテーブル３４に伝達させる伝達部３１２（第１の伝達部）とを備える。
ダイアル３１１は、外装ケース２のアッパーケース２１の上面部２１Ａ（図１）に形成されたダイアル用の孔から露出する略円柱形状のダイアル本体３１１Ａと、このダイアル本体３１１Ａの円形面に取り付けられた歯車部３１１Ｂと、この歯車部３１１Ｂに取り付けられた軸部３１１Ｃとを備える。
軸部３１１Ｃは、基部３３の取り付け片３３３Ａ３の孔３３３Ａ４に挿入されるとともに、固定リング３１５により固定される。
伝達部３１２は、ダイアル３１１の歯車部３１１Ｂに噛合する歯車３１３と、この歯車３１３に噛合し、歯車３１３の回転に伴って摺動するＹスライダ３１４とを備える。
歯車３１３は、その軸部分が、基部３３の取り付け片３３３Ａ３の孔３３３Ａ５に挿入され、固定リング３１５により固定される。
【００４９】
Ｙスライダ３１４は、Ｙ軸方向に延びる長尺状の部材であり、短辺方向の一方の端部の一部は、基部３３と反対方向に折り曲げられている。この部分は鋸状のカットが施され、歯車３１３に噛合する噛合部３１４Ａとなっている。
さらに、Ｙスライダ３１４には、その長手方向に沿って延びる一対の長孔３１４Ｂと、凹部３１４Ｃとが形成されている。
長孔３１４Ｂには、基部３３のボス部３３３Ａ１が挿入される。
凹部３１４Ｃは、一対の長孔３１４Ｂの略中間部分に形成されており、その断面形状は、Ｖ字状となっている。さらに、Ｙスライダ３１４の短辺方向の他方の端部の略中央部分には、突起３１４Ｄが形成されている。この突起３１４Ｄは、基部３３側に延びるものであり、突起３１４ＤはＹテーブル３４の孔３４２にはめ込まれ、さらに、基部３３の長孔３３３Ａ２に挿入される。
【００５０】
このようなＹスライダ３１４上には、Ｙ軸方向に延びる長尺状のばね片（付勢部材）３６が取り付けられる。ばね片３６の長手方向両端部３６２は、略Ｌ字状に屈曲されている。この両端部３６２には、ビスＢ１を通すための穴３６２Ａが形成されており、ビスＢ１は長孔３１４Ｂを介してボス部３３３Ａ１に挿入される。これにより、ばね片３６は、基部３３のボス部３３３Ａ１に固定されることとなる。従って、ばね片３６がＹスライダ３１４の摺動に伴い、動いてしまうことはない。
さらに、ばね片３６の長手方向略中央部分は、Ｖ字状に窪んでおり、Ｙスライダ３１４側に突出した凸部３６１となっている。この凸部３６１は、Ｙスライダ３１４側に付勢されて、Ｙスライダ３１４に当接しており、Ｙスライダ３１４が摺動し、投写レンズ３が基準位置、例えば、Ｙ軸方向の略中央位置にまで移動すると、Ｙスライダ３１４の凹部３１４Ｃと係合することとなる。
すなわち、本実施形態では、凸部３６１が形成されたばね片３６と、凹部３１４Ｃが形成されたＹスライダ３１４とがＹ軸方向の基準位置（Ｙ軸方向の略中間位置）を認識する認識手段となる。
【００５１】
Ｘテーブル駆動機構３２は、Ｘテーブル３５を基部３３上で直線駆動させるためのものであり、図１２に示すように、ダイアル３２１と、ダイアル３２１の回転をＸテーブル３５に伝達させるための伝達部３２２（第２の伝達部）とを備える。
ダイアル３２１は、ダイアル３１１と略同様の構造であり、アッパーケース２１の上面部２１Ａ（図１）に形成されたダイアル用の孔から露出する略円柱形状のダイアル本体３２１Ａと、このダイアル本体３２１Ａの円形面に取り付けられた歯車部３２１Ｂと、この歯車部３２１Ｂに取り付けられた軸部３２１Ｃとを備える。
このようなダイアル３２１は、板状の取り付け部３８を介して基部３３に固定される。具体的には、ダイアル３２１の軸部３２１Ｃを、穴３８１に通し、固定リング３１５を取り付けることにより固定される。なお、取り付け部３８には、穴３８１に隣接して、歯車３２３の軸部を挿入するための穴３８２も形成されている。
【００５２】
伝達部３２２は、ダイアル３２１の歯車部３２１Ｂに噛合する歯車３２３と、この歯車３２３に噛合し、歯車３２３の回転に伴って摺動するＸスライダ３２４とを備える。
Ｘスライダ３２４は、Ｘ軸方向に延びる長尺の部材であり、一方の長辺の一部には、鋸状のカットが施されている。この部分は、歯車３１３に噛合する噛合部３２４Ａである。
さらに、Ｘスライダ３２４には、その長手方向に沿って延びる一対の長孔３２４Ｂと、凹部３２４Ｃとが形成されている。
長孔３２４Ｂには、取り付け部３８に形成された一対のボス部３８３が挿入される。
凹部３２４Ｃは、一対の長孔３２４Ｂの略中間部分に形成されており、その断面はＶ字状となっている。
【００５３】
また、Ｘスライダ３２４の他方の長辺の略中央部分には、図１２下方に延びる延出部３２４Ｄが形成されている。この延出部３２４Ｄは、Ｘテーブル３５の突起３５２間に嵌めこまれる。
なお、Ｘテーブル３５は、Ｙテーブル３４上に設置されているため、Ｙテーブル３４を下方に移動させた場合には、Ｘテーブル３５も下方に移動することとなる。この際、Ｘスライダ３２４の延出部３２４Ｄは、突起３５２間を摺動することとなるが、延出部３２４Ｄは、Ｘテーブル３５が最下部に移動した際においても、突起３５２間から外れることがない長さ寸法を有している。すなわち、延出部３２４Ｄの延出方向の長さ寸法は、Ｘスライダ３２４の上下方向の移動可能な寸法よりも長いものとなっている。
【００５４】
以上のようなＸスライダ３２４上には、Ｘ軸方向に延びる長尺状のばね片（付勢部材）３７が取り付けられている。このばね片３７は、ばね片３６と略同様の形状であり、長手方向両端部３７２は略Ｌ字状に屈曲されている。この端部３７２には、ビスＢ１を通すための孔３７２Ａが形成されており、ビスＢ１は、長孔３２４Ｂを介して取り付け部３８に形成された一対のボス部３８３に挿入される。すなわち、ばね片３７は、基部３３に固定された取り付け部３８に固定されることとなる。
さらに、ばね片３７の長手方向略中央部分は、Ｖ字状に窪んでおり、Ｘスライダ３２４側に突出した凸部３７１となっている。凸部３７１は、Ｘスライダ３２４側に付勢されて、Ｘスライダ３２４に当接しており、Ｘスライダ３２４が摺動し、投写レンズ３が基準位置、例えば、Ｘ軸方向の略中央位置にまで移動すると、Ｘスライダ３２４の凹部３２４Ｃと係合することとなる。
すなわち、本実施形態では、凸部３７１が形成されたばね片３７と、凹部３２４Ｃが形成されたＸスライダ３２４とがＸ軸方向の基準位置（Ｘ軸方向の略中間位置）を認識する認識手段となる。
【００５５】
次に、以上のような、投写レンズ位置調整装置３０による投写レンズ３の位置調整について、主に図８、図１１および図１２を参照しながら説明する。
はじめに、投写レンズ３のＹ軸方向への移動について説明する。
ここでは、投写レンズ３がＹ軸方向の移動位置の最上部に位置していると仮定する。
まず、ダイアル３１１の外装ケース２から露出した部分を、下方（図１のＹ１方向）に回転させる（ダイアル３１１は、図８矢印Ｒ１方向に回転する）。この回転に伴い、歯車３１３がＲ２方向に回転する。この歯車３１３が回転することにより、Ｙスライダ３１４が下方（Ｙ３方向）に移動する。この際、Ｙスライダ３１４の長孔３１４Ｂ内をボス部３３３Ａ１が摺動することとなる。また、Ｙスライダ３１４の突起３１４Ｄは、基部３３の長孔３３３Ａ２内を摺動することとなる。
【００５６】
突起３１４Ｄは、Ｙテーブル３４の孔３４２に嵌めこまれているため、Ｙスライダ３１４の移動に伴って、Ｙテーブル３４も下方（Ｙ３方向）に移動することとなる。このＹテーブル３４の片３４３には、Ｘテーブル３５の端部が挿入されているので、Ｙテーブル３４の移動に伴って、Ｘテーブル３５も下方に移動する。Ｘテーブル３５には、投写レンズ３が固定されているので、これにより投写レンズ３も下方（Ｙ３方向）に移動することとなる。
【００５７】
なお、ばね片３６は、基部３３に固定されているため、Ｙスライダ３１４が移動しても、ばね片３６が移動することはない。ばね片３６の凸部３６１は、Ｙスライダ３１４に当接しているため、凸部３６１とＹスライダ３１４との間には摩擦が生じることとなる。
さらに、ダイアル３１１を回転させ、投写レンズ３が基部３３に形成された孔３３１ＡのＹ軸方向略中間位置に移動すると、ばね片３６の凸部３６１がＹスライダ３１４の凹部３１４Ｃに係合する。これにより、ばね片３６の凸部３６１とＹスライダ３１４間の摩擦が小さくなり、ダイアル３１１の回転トルクが軽くなる。
そして、さらに、ダイアル３１１を回転させると、ばね片３６の凸部３６１と、Ｙスライダ３１４の凹部３１４Ｃとの係合が解除され、凸部３６１とＹスライダ３１４との間には再び大きな摩擦が生じることとなる。
【００５８】
次に、投写レンズ３のＸ軸方向の移動について説明する。
ここでは、プロジェクタ１を後方から見た際に、投写レンズ３が右側の最大移動位置に位置していると仮定する。
まず、ダイアル３２１の外装ケース２から露出した部分を、プロジェクタ１後方から見て左側（図１のＸ２方向）に回転させる（ダイアル３２１は、図８Ｒ３方向に回転する）。このダイアル３２１の回転に伴い歯車３２３がＲ４方向に回転する。歯車３２３が回転することにより、Ｘスライダ３２４がプロジェクタ１後方から見て左方向（Ｘ４方向）に移動する。この際、Ｘスライダ３２４の長孔３２４Ｂ内を取り付け部３８のボス部３８３が摺動することとなる。
Ｘスライダ３２４の延出部３２４Ｄは、Ｘテーブル３５の突起３５２間にはめ込まれているので、Ｘスライダ３２４の移動に伴って、Ｘテーブル３５は、Ｙテーブル３４上を摺動することとなる。これにより投写レンズ３も左側（Ｘ４方向）に移動することとなる。
なお、ばね片３７は、取り付け部３８のボス部３８３に固定されているので、Ｘスライダ３２４の移動に伴って移動することはない。ばね片３７の凸部３７１はＸスライダ３２４に当接しているため、凸部３７１とＸスライダ３２４との間には摩擦が生じることとなる。
【００５９】
さらに、ダイアル３２１を回転させ、投写レンズ３が基部３３に形成された孔３３１ＡのＸ軸方向略中間位置まで移動すると、ばね片３７の凸部３７１がＸスライダ３２４の凹部３２４Ｃに係合する。これにより、ばね片３７の凸部３７１とＸスライダ３２４間の摩擦が小さくなり、ダイアル３２１の回転トルクが軽くなる。
そして、さらに、ダイアル３２１を回転させると、ばね片３７の凸部３７１と、Ｘスライダ３２４の凹部３２４Ｃとの係合が解除され、凸部３７１とＸスライダ３２４との間の摩擦が再び大きくなる。
なお、ここでは、投写レンズ３が最上部から最下部へ移動する場合、及び、プロジェクタ１後方から見て右側から左側に移動する場合について述べたが、最下部から最上部に移動する場合、左側から右側に移動する場合においても、同様である。
【００６０】
（４）遮光構造
図１３から図１６を参照して、投写レンズ３の周囲の遮光構造について説明する。
投写レンズ３の周囲には、フロントケース２３の開口２３１と、投写レンズ３の外周との間の隙間を遮蔽する第１の遮光部材１１と、投写レンズ３と投写レンズ位置調整装置３０の基部３３の孔３３１Ａとの間の隙間を遮蔽する第２の遮光部材１２とが設けられている。
第１の遮光部材１１は、図１４及び図１５に示すように、リング部材１１１と、遮光部材本体１１２と、固定板１１３とを備える。
リング部材１１１は、投写レンズ３のレンズ保持筒３Ａの外周面に円周状に形成された溝部３Ａ１に遊嵌状態で保持されている。従って、フォーカス調整時等に投写レンズ３のレンズ保持筒３Ａを回転させても、リング部材１１１が回転することはない。このリング部材１１１には、その外周面に断面略コ字形の溝部１１１Ａが形成されている。
【００６１】
遮光部材本体１１２は、リング部材１１１の外周に取り付けられるものであり、リング状の弾性部材１１２Ａと、この弾性部材１１２Ａから外側に向かって延びる一対の取り付け片１１２Ｂとを備える。
弾性部材１１２Ａは、リング部材１１１と、フロントケース２３の開口２３１周縁との間に跨って配置されるものである。この弾性部材１１２Ａは、薄い板状のゴムから構成されており、フロントケース２３と反対側に窪み、投写レンズ３の径方向に直交する断面が略Ｕ字形状の変形部１１２Ａ１と、この変形部１１２Ａ１の内周側の周縁、外周側の周縁にそれぞれ設けられる取り付け部１１２Ａ２，１１２Ａ３とを備える。
変形部１１２Ａ１は、投写レンズ３の位置調整に伴って変形する部分であり、取り付け部１１２Ａ２，１１２Ａ３よりも薄肉状に形成されている。
変形部１１２Ａ１の内周側の周縁に設けられた取り付け部１１２Ａ２は、リング部材１１１の溝部１１１Ａに挿入され、固定される。
変形部１１２Ａ１の外周側の周縁に設けられた取り付け部１１２Ａ３は、フロントケース２３と反対側に屈曲されており、後述する固定板１１３の窪み部分に挿入される。この固定板１１３は、フロントケース２３の周縁に固定されるため、遮光部材本体１１２の変形部１１２Ａ１は、投写レンズ３に取り付けられたリング部材１１１と、フロントケース２３の開口２３１との間の隙間を遮蔽することとなる。
取り付け片１１２Ｂは、変形部１１２Ａ１の外周側の周縁に固定されており、変形部１１２Ａ１の周縁に沿って配置されている。この取り付け片１１２Ｂは、遮光部材本体１１２をフロントケース２３に取り付けるためのものである。
【００６２】
固定板１１３は、遮光部材本体１１２をフロントケース２３に固定するためのものであり、遮光部材本体１１２のフロントケース２３と反対側に配置される。この固定板１１３は、投写レンズ３が挿通するリング部１１３Ａと、このリング部１１３Ａから外側に延びる固定片１１３Ｂとを備える。リング部１１３Ａは、遮光部材本体１１２と反対側に窪んでおり、この窪み部分に遮光部材本体１１２の変形部１１２Ａ１の外周側の周縁に設けられた取り付け部１１２Ａ３が挿入される。
固定片１１３Ｂは、フロントケース２３に固定されるものであり、ビスＢ２を挿入するための孔１１３Ｂ１が形成されている。固定片１１３Ｂをフロントケース２３に固定すると、固定片１１３Ｂと、フロントケース２３の開口２３１の周縁に形成されたリブ２３５とにより、遮光部材本体１１２の取り付け片１１２Ｂ及び取り付け部１１２Ａ３が挟みこまれ、固定されることとなる。
そして、以上のような、第１の遮光部材１１では、投写レンズ３を移動させると、遮光部材本体１１２の変形部１１２Ａ１が変形する。例えば、投写レンズ３を上方（図１３Ｙ４方向）に移動させた場合には、変形部１１２Ａ１の上方部分が圧縮され、下方部分が伸びることとなる。
【００６３】
次に、図１５及び図１６を参照して、第２の遮光部材１２について説明する。
前述した投写レンズ位置調整装置３０では、投写レンズ３を保持するＸテーブル３５をプロジェクタ１後方から見て左側（図８Ｘ４方向）、或いは右側（図８Ｘ３方向）に移動させた際に、Ｘテーブル３５と、Ｙテーブル３４の孔３４１や基部３３の孔３３１Ａとの間に隙間が発生することがある。そのため、この隙間から光漏れが生じる可能性がある。第２の遮光部材１２は、前記隙間を遮蔽する目的で設けられるものである。この第２の遮光部材１２は、投写レンズ位置調整装置３０の基部３３内側に取り付けられ、遮光部材本体１２２と、固定板１２３とを備える。
【００６４】
遮光部材本体１２２は、投写レンズ３のレンズ保持筒３Ａの外周に取り付けられるものであり、リング状の弾性部材１２２Ａと、この弾性部材１２２Ａから外側に向かって延びる取り付け片１２２Ｂとを備える。
弾性部材１２２Ａは、薄い板状のゴムから構成されており、フロントケース２３と反対側に窪み、投写レンズ３の径方向に直交する断面が略Ｕ字形状の変形部１２２Ａ１と、この変形部１２２Ａ１の内周側周縁、外周側周縁にそれぞれ設けられる取り付け部１２２Ａ２，１２２Ａ３とを備える。
変形部１２２Ａ１は、投写レンズ３の位置調整に伴って変形する部分であり、取り付け部１２２Ａ２，１２２Ａ３よりも薄肉状に形成されている。
変形部１２２Ａ１の内周側の周縁に設けられた取り付け部１２２Ａ２は、投写レンズ３のレンズ保持筒３Ａの外周に固定される。
変形部１２２Ａ１の外周側の周縁に設けられた取り付け部１２２Ａ３は、投写レンズ位置調整装置３０の基部３３の孔３３１Ａの周縁に固定される。これにより、変形部１２２Ａ１が投写レンズ３の外周と、基部３３の孔３３１Ａとの間の隙間を遮蔽することとなる。
取り付け片１２２Ｂは、矩形状の外形形状を備えた板状部材であり、その四隅には、基部３３に形成されたボス部３３４に挿入される孔１２２Ｂ１が形成されている。
【００６５】
固定板１２３は、遮光部材本体１２２を基部３３に固定するためのものであり、遮光部材本体１２２の基部３３と反対側に配置される。
この固定板１２３は、平面略矩形形状の板金であり、中央部分に投写レンズ３を挿通させるための円形状の開口１２３Ａが形成されている。また、この固定板１２３のＹ軸方向に沿った辺の略中央部分には、一対のばね片１２３Ｃが設けられている。
さらに、この固定板１２３の四隅には、ビスＢ３を挿入するための孔１２３Ｂが形成されている。この孔１２３ＢにビスＢ３を挿入し、固定板１２３を基部３３に固定すると、固定板１２３の開口周縁部分と基部３３とで、遮光部材本体１２２の取り付け部１２２Ａ３及び取り付け片１２２Ｂが挟持される。
以上のような、第２遮光部材１２では、投写レンズ３を移動させると、遮光部材本体１２２の変形部１２２Ａ１が変形する。例えば、投写レンズ３を上方（図１３Ｙ４方向）に移動させた場合には、変形部１２２Ａ１の上方部分が圧縮され、下方部分が延びることとなる。
【００６６】
（５）実施形態の効果
このような本実施形態によれば、以下の効果を奏することができる。
（5-1）投写レンズ位置調整装置３０のダイアル３１１の外装ケース２から露出した部分を下方（Ｙ１方向）に動かすと、投写レンズ３が下方向（Ｙ３方向）に動き、ダイアル３１１の外装ケース２から露出した部分を上方（Ｙ２方向）に動かすと、投写レンズ３が上方向（Ｙ４方向）に動くこととなる。また、ダイアル３２１の外装ケース２から露出した部分をプロジェクタ１後方から見て右側（Ｘ１方向）に動かすと、投写レンズ３がプロジェクタ１後方から見て右側（Ｘ３方向）に動き、ダイアル３２１外装ケース２から露出した部分をプロジェクタ１後方から見て左側（Ｘ２方向）に動かすと、投写レンズ３がプロジェクタ１後方から見て左側（Ｘ４方向）に動くこととなる。
このように、プロジェクタ１後方から見て、投写レンズ３を移動させる方向と、ダイアル３１１，３２１を回転させる方向とが一致しているため、投写レンズ３の移動方向を容易に理解することができる。これにより、使用者は、スムーズに投写レンズ３の位置調整を行うことができる。
特に、投写レンズ３が略直交する２方向に移動する構成の場合には、ダイアルの回転方向と、投写レンズ３の移動方向とが一致していないと、使用者が投写レンズ３の移動方向が理解できず、混乱する可能性が高いが、本実施形態のように、ダイアル３１１，３２１の回転方向と、投写レンズ３の移動方向とを略一致させることで、使用者が容易に投写レンズ３の移動方向を理解することができ、使用者にとって使い勝手のよいものとなる。
【００６７】
（5-2）さらに、本実施形態では、ダイアル３１１，３２１と、スライダ３１４，３２４との間に、歯車３１３，３２３を設けるだけで、ダイアル３１１，３２１の回転を直線駆動に変換でき、プロジェクタ１後方から見て、投写レンズ３を移動させる方向と、ダイアル３１１，３２１を回転させる方向とを一致させることができるため、投写レンズ位置調整装置３０の構造が複雑化しない。
【００６８】
（5-3）投写レンズ位置調整装置３０には、投写レンズ３の基準位置を認識するための認識手段が設けられており、この認識手段は、ダイアル３１１，３２１の回転トルクを変化させるもの、すなわち、ダイアル３１１，３２１を回転させるのに必要な力を変化させるものであるため、ダイアル３１１，３２１を回転させながら、投写レンズ３の位置を容易に確認することができる。具体的には、投写レンズ３が基準位置に達するまでの間、ばね片３６，３７の凸部３６１，３７１はＹスライダ３１４、Ｘスライダ３２４側に付勢され、このＹスライダ３１４、Ｘスライダ３２４当接しているため、凸部３６１，３７１とＹスライダ３１４、Ｘスライダ３２４との間には摩擦が生じることとなる。これがダイアル３１１，３２１の回転トルクとなる。投写レンズ３が基準位置に達すると、凹部３１４Ｃ，３２４Ｃと凸部３６１，３７１とが係合し、ダイアル３１１，３２１の回転トルクが軽くなる。これにより、基準位置を容易に確認することが可能となる。
このように、基準位置を容易に確認することができるので、使用者の使い勝手を向上させることができる。
【００６９】
（5-4）さらに、凹部３１４Ｃ，３２４Ｃと凸部３６１，３７１とを係合させるだけで、投写レンズ３の基準位置を確認することができるため、基準位置を認識する認識手段を設けても、投写レンズ位置調整装置３０の構造が複雑化しない。
（5-5）また、ダイアル３１１，３２１に直接接続された伝達部３２２のＸスライダ３２４、Ｙスライダ３１４に凹部３１４Ｃ，３２４Ｃを形成しているため、凹部３１４Ｃ，３２４Ｃと凸部３６１，３７１とが係合した際の摩擦力の変化をダイアル３１１，３２１に直接伝えることができる。これにより、ダイアル３１１，３２１の回転トルクの変化を使用者が確実に感じ取ることができ、より使い勝手のよいものとすることができる。
【００７０】
（5-6）さらに、凹部３１４Ｃ，３２４Ｃと、凸部３６１，３７１とが係合する基準位置を投写レンズ３の移動方向略中間位置（センター位置）とすることで、使用者はセンター位置を容易に認識することができる。従って、プロジェクタ１の投写レンズ３光軸と、スクリーンに映る画面の中心を略一致させて使用する場合に特に有用なものとすることができる。
（5-7）凸部３６１，３７１及び凹部３１４Ｃ，３２４Ｃを断面略Ｖ字形状としているため、凹部３１４Ｃ，３２４Ｃと、凸部３６１，３７１との係合を解除する際に、凹部３１４Ｃ，３２４Ｃを移動させるだけで、スムーズに凹部３１４Ｃ，３２４Ｃと凸部３６１，３７１の係合を解除することができる。
【００７１】
（5-8）また、投写レンズ位置調整装置３０で投写レンズ３を最上部に移動させると、投写レンズ３が基準位置にある場合に投写される画面よりも、画面１つ分上方に投写することができる。このように画面１つ分上方に投写することができるため、例えば、プロジェクタ１を床等の低い位置に設置して、投写することが可能となる。また、吹き抜け等がある場合には、プロジェクタ１の上下をさかさまにして、下方に投写することも可能となる。
さらに、投写レンズ３を最下部に移動させた場合には、投写レンズ３が基準位置にある場合に投写される画面の位置よりも、画面半分下方に投写することができる。これにより、棚等の比較的高い位置にプロジェクタ１を設置して使用することが可能となる。
このように、本実施形態のプロジェクタ１では、高い位置から低い位置にむけて投写すること、低い位置から高い位置に向けて投写することが可能となり、プロジェクタ１を設置する高さ位置が制限されず、プロジェクタ１の使い勝手を良いものとすることができる。
【００７２】
（5-9）また、投写レンズ位置調整装置３０で投写レンズ３を最も右側、或いは左側に移動させた場合には、投写レンズ３が基準位置にある場合に投写される画面の位置よりも、画面半分右側或いは左側に投写することができる。そのため、スクリーンの中心位置から投写レンズ３の光軸が左右にずれてしまった場合でも、スクリーンの中心位置に略確実に投写することができる。これにより、プロジェクタ１の設置位置が制限されるような、狭い居室等の空間でもプロジェクタ１を使用することができる。
（5-10）第１の遮光部材１１は、投写レンズ３に取り付けられたリング部材１１１と、フロントケース２３の開口２３１周縁とに跨って配置される弾性部材１１２Ａを備えているため、投写レンズ３と、開口２３１との間の隙間を弾性部材１１２Ａにより遮蔽することができる。これにより、前記隙間からの光漏れを防止できる。
【００７３】
（5-11）第１の遮光部材１１の弾性部材１１２Ａは、投写レンズ３に取り付けられたリング部材１１１に取り付けられているので、投写レンズ３を移動させた場合には、弾性部材１１２Ａは伸縮変形して、投写レンズ３に追従することとなる。これにより、投写レンズ３を移動させて位置調整した場合でも、投写レンズ３と、開口２３１との間の隙間を確実に塞ぐことができ、光漏れを防止できる。
そして、このように投写レンズ３と、開口２３１との間の隙間を確実に塞ぐことができるので、隙間からの塵や埃の侵入も防止することができる。
【００７４】
（5-12）さらに、第１の遮光部材１１は、弾性部材１１２Ａが伸縮変形し、投写レンズ３に追従する構成となっており、従来のように、遮蔽板を追従させる構成ではない。そのため、外装ケース内部で遮光部材の移動範囲を確保するために、外装ケースの投写レンズの移動方向に沿った寸法を長くする必要がなく、外装ケース２の大型化を防止できる。
（5-13）また、リング部材１１１は、投写レンズ３のレンズ保持筒３Ａの外周に遊嵌状態で保持されているため、フォーカス調整等の際に、レンズ保持筒３Ａを回転させても、リング部材１１１が回転してしまうことがない。このようなリング部材１１１に弾性部材１１２Ａを固定しているため、投写レンズ３のレンズ保持筒３Ａの回転に伴って弾性部材１１２Ａにねじれ等が生じてしまうことを防止できる。
【００７５】
（5-14）さらに、投写レンズ３の外周及び投写レンズ位置調整装置３０の基部３３の孔３３１Ａ周縁に跨って配置される弾性部材１２２Ａを有した第２の遮光部材１２を備えているので、投写レンズ位置調整装置３０と投写レンズ３との間の隙間から光がもれることを防止することができる。
そして、第２の遮光部材１２は、第１の遮光部材１１と同様に投写レンズ３に固定される弾性部材１２２Ａを備える構成であるため、投写レンズ３を移動させた場合には、弾性部材１２２Ａは伸縮変形し、投写レンズ３に追従することとなる。これにより、投写レンズ３を移動させた場合でも、投写レンズ位置調整装置３０と投写レンズ３との間の隙間を確実に塞ぐことができ、光漏れを確実に防止できる。
【００７６】
（5-15）また、以上のように第２の遮光部材１２により、投写レンズ３と投写レンズ位置調整装置３０との間の隙間を確実に塞ぐことができるので、隙間からの塵や埃の侵入も防止することができる。
（5-16）さらに、第１の遮光部材１１と第２の遮光部材１２と、２つの遮光部材を設けることで、光の漏れ及び粉塵の侵入を確実に防止することができる。
【００７７】
（5-17）また、外装ケース２のフロントケース２３にリブ２３４、ロア−ケース２２の底面部２２Ａにリブ２２Ａ６、アッパーケース２１の上面部２１Ａのリブが形成されており、これらのリブで投写レンズ３の外周が囲まれて、レンズ室が形成されている。そして、リブ２２Ａ６及びアッパーケース２１の上面部２１Ａのリブは、基部３３に当接している。基部３３には、投写レンズ３と基部３３の孔３３１Ａの隙間を塞ぐ第２の遮光部材１２が設けられているので、レンズ室は、第２の遮光部材１２により封鎖されることとなる。例え、外装ケース２のダイアル３１１，３２１を露出させるダイアル用の孔の部分から塵や埃等が侵入することがあっても、レンズ室は封鎖されているため、埃や粉塵等が、光学ユニット４側等に入り込むことがない。これにより、液晶パネル４４１等への埃や粉塵等の付着を防止することができ、プロジェクタ１の信頼性を向上させることができる。
【００７８】
（5-18）第１の遮光部材１１の変形部１１２Ａ１、第２の遮光部材１２の変形部１２２Ａ１は、薄肉状に形成されているため、投写レンズ３の位置調整に応じて柔軟に変形させることができる。従って、遮光部材１１，１２を設けたことにより、投写レンズ３の位置調整が困難となることがなく、遮光部材１１，１２を設けても、投写レンズ３の位置調整をスムーズに行うことができる。
【００７９】
（5-19）さらに、変形部を単なる扁平形状とした場合には、投写レンズ３の位置調整により、変形部が大きく引っ張られた場合、変形部には元に戻ろうとする力（弾性力）が大きく発生するため、変形部が投写レンズ３に追従しにくくなる可能性がある。
これに対し、本実施形態では、変形部１１２Ａ１，１２２Ａ１は断面略Ｕ字形であり、板状の弾性部材を弛ませた状態となっているので、投写レンズ３の位置調整により、変形部１１２Ａ１，１２２Ａ１が大きく引っ張られることがあっても、変形部１１２Ａ１，１２２Ａ１の弛みを伸ばせばよく、元に戻ろうとする力（弾性力）はさほど発生しないので、変形部１１２Ａ１，１２２Ａ１が投写レンズ３に容易に追従することができる。
また、このように変形部１１２Ａ１，１２２Ａ１が容易に追従するため、投写レンズ３の位置調整が行いにくくなることはない。
【００８０】
（5-20）第１の遮光部材１１の弾性部材１１２Ａの取り付け部１１２Ａ３は、固定板１１３と、フロントケース２３とで挟持されているため、弾性部材１１２Ａを確実に固定することができる。同様に、第２の遮光部材１２の弾性部材１２２Ａの取り付け部１２２Ａ３も固定板１２３と、基部３３とで挟持されるので、弾性部材１２２Ａを確実に固定することができる。
【００８１】
（5-21）また、取り付け部１１２Ａ２は厚肉状に形成されているため、取り付け部１１２Ａ２をリング部材１１１の溝部１１１Ａにはめ込み、リング部材１１１に確実に固定することができる。
取り付け部１１２Ａ３も厚肉状に形成されているので、固定板１１３のリング部１１３Ａの窪み部分に取り付け部１１２Ａ３を確実にはめ込むことができ、固定板１１３と、フロントケース２３との間に確実に固定することができる。このように、遮光部材本体１１２の弾性部材１１２Ａの取り付け部１１２Ａ２，１１２Ａ３をリング部材１１１やフロントケース２３に確実に固定することができるので、投写レンズ３の位置調整に伴って、リング部材１１１やフロントケース２３から取り付け部１１２Ａ２，１１２Ａ３が外れてしまうことがなく、投写レンズ３と、フロントケース２３の開口２３１との間の隙間を確実に遮光することができる。
同様に、取り付け部１２２Ａ２，１２２Ａ３も厚肉状に形成されているので、取り付け部１２２Ａ２，１２２Ａ３を投写レンズ３のレンズ保持筒３Ａの外周及び基部３３に強固に取り付けることができ、投写レンズ３と、投写レンズ位置調整装置３０との間の隙間を確実に遮光することができる。
【００８２】
[第２実施形態]
次に、本発明の第２実施形態について説明する。以下の説明では、既に説明した部分と同一の部分については、同一符号を付してその説明を省略する。また、本実施形態において、特に説明がない箇所については、第１実施形態と同様に構成することが可能である。
前記実施形態では、ばね片３７は、Ｘスライダ３２４に当接し、ばね片３７の凸部３７１は、スライダ３２４に形成された凹部３２４Ｃに係合した。これに対し、本実施形態では、図１７に示すように、ばね片３７の凸部３７１は、ダイアル３２１’の軸部３２１Ｃ’に形成された凹部３２１Ｆに係合する。すなわち、本実施形態では、基準位置を認識する認識手段は、ばね片３７と、ダイアル３２１’の軸部３２１Ｃ’とで構成されることとなる。
軸部３２１Ｃ’は、歯車部３２１Ｂに取り付けられた大径部３２１Ｄと、この大径部３２１Ｄに取り付けられた小径部３２１Ｅとを備える。前記凹部３２１Ｆは、大径部３２１Ｄの一部をＶ字形状に切り欠いて形成されている。
【００８３】
小径部３２１Ｅには、その外周に沿った切り欠き３２１Ｇが形成されている。
この切り欠き３２１Ｇに固定リング３１５が取り付けられる。
このようなダイアル３２１’は、取り付け部３８’に取り付けられる。この取り付け部３８’は、前記実施形態の取り付け部３８と略同様の構造であるが、ダイアル本体３２１Ａ側に突出した一対の突出部３８４が形成されている点で、取り付け部３８と異なっている。
一対の突出部３８４には、その突出方向と直交する方向（Ｙ軸方向）に延びる孔３８４Ａが形成されている。この孔３８４Ａにばね片３７の端部３７２がビスＢ１を介して固定される。
そして、この突出部３８４に固定されたばね片３７の凸部３７１は、ダイアル３２１’の大径部３２１Ｄ側に付勢され、大径部３２１Ｄに当接する。
【００８４】
このような本実施形態では、ダイアル３２１’を２．２回転することで、投写レンズ３が、Ｘ軸方向の移動可能な範囲の一方の端（例えば、プロジェクタ１後方から見て最も右側の位置）から他方の端（プロジェクタ１後方から見て最も左側の位置）まで移動することとなる。
図１８をも参照して投写レンズ３のＸ軸方向の動きについて説明する。
ここで、プロジェクタ１を後方から見た際に、投写レンズ３が右側の最大移動位置に位置していると仮定する。
まず、ダイアル３２１’をプロジェクタ１後方から見て左側（図１のＸ２方向）に回転させる。ばね片３７の凸部３７１は、ダイアル３２１’の大径部３２１Ｄに当接しているため、ばね片３７の凸部３７１と、ダイアル３２１’の大径部３２１Ｄとの間には、摩擦が生じる。さらに、ダイアル３２１’を回転させて、回転量が０．１回転に達すると、ばね片３７の凸部３７１がダイアル３２１’の凹部３２１Ｆに係合する。これにより、凸部３７１とダイアル３２１’間の摩擦が小さくなり、ダイアル３２１’の回転トルクが軽くなる。
【００８５】
さらに、ダイアル３２１’を回転させると、凸部３７１と、凹部３２１Ｆとの係合が解除され、凸部３７１と大径部３２１Ｄとの間の摩擦が再び大きくなる。
そして、ダイアル３２１’の回転量が１．１回転に達すると、投写レンズ３がＸ軸方向の略中心位置に位置する。この際、再度、凸部３７１と、凹部３２１Ｆとが係合し、ダイアル３２１’の回転トルクが軽くなる。
さらに、ダイアル３２１’を回転させると、再び凸部３７１と、凹部３２１Ｆとの係合が解除される。
次に、ダイアル３２１’の回転量が２．１回転に達すると再度、凸部３７１と、凹部３２１Ｆとが係合し、ダイアル３２１’の回転トルクが軽くなる。
そして、ダイアル３２１’をさらに回転させると再び凸部３７１と、凹部３２１Ｆとの係合が解除され、回転量が２．２回転に達すると投写レンズ３が左側の最大移動位置に位置することとなる。
なお、ここでは、ダイアル３２１’側の構造および投写レンズ３のＸ軸方向の移動のみを開示したが、本実施形態では、投写レンズ３をＹ軸方向に移動させるダイアルにも同様の構造が適用されており、ダイアル３２１’と同様に、ダイアルを２．２回転することで投写レンズ３が最上部（最下部）から最下部（最上部）まで移動することとなる。
【００８６】
（６）実施形態の効果
このような本実施形態によれば、第１実施形態の（5-1）〜（5-4）、（5-6）〜（5-21）と略同様の効果を奏することができるうえ、以下の効果を奏することができる。
（6-1）ダイアル３２１’の軸部３２１Ｃに、ばね片３７の凸部３７１が当接しているため、凸部３７１が凹部３２１Ｆに係合した際の摩擦力の変化がダイアル３２１’のダイアル本体３２１Ａに伝わりやすい。そのため、使用者は回転トルクの変化を確実に認識することができる。
（6-2）さらに、本実施形態ではダイアル３２１’の回転トルクの変化は、投写レンズ３の移動方向略中心位置だけでなく、移動方向の最端側近傍でも生じるため、使用者は、投写レンズ３の位置を容易に把握することができる。
【００８７】
なお、本発明は前述の実施形態に限定されるものではなく、本発明の目的を達成できる範囲での変形、改良等は本発明に含まれるものである。
なお、本発明は前述の実施形態に限定されるものではなく、本発明の目的を達成できる範囲での変形、改良等は本発明に含まれるものである。
例えば、第１実施形態では、ダイアル３１１，３２１の回転トルクの変化が、投写レンズ３が移動方向略中間位置に位置する場合に生じるとしたが、これに限らず、第２実施形態と同様に、移動方向の端の部分近傍でもダイアルに回転トルクの変化が生じるものとしてもよい。
【００８８】
また、前記各実施形態において、所定距離ごとに回転トルクの変化が生じるようにしてもよい。このようにすることで、投写レンズ３の位置を確実に把握することができるようになる。
また、前記各実施形態では、ばね片３６，３７に凸部３６１，３７１を形成し、この凸部３６１，３７１をＹスライダ３１４側等に付勢していたが、これに限らず、凸部として、例えば、ボール等を使用し、このボールをＹスライダ３１４側等に付勢する構成としてもよい。
【００８９】
さらに、前記各実施形態では、スライダ３１４，３２４、ダイアル３２１’の軸部３２１Ｃ’に凹部３１４Ｃ，３２４Ｃ，３２１Ｆを形成し、ばね片３６，３７に凸部３６１，３７１を形成したが、これに限らず、スライダやダイアルの軸部に凸部を形成し、ばね片に凹部を形成してもよい。
さらに、前記各実施形態では、基部３３上にＹテーブル３４が設置され、このＹテーブル３４上にＸテーブル３５が設置されるものとしたが、これに限らず、基部３３上にＸテーブルを設置し、Ｘテーブル上にＹテーブルを配置してもよい。
さらに、前記各実施形態では、第１の遮光部材１１及び第２の遮光部材１２は、固定板１１３，１２３を備えるものとしたが、これに限らず、固定板はなくてもよい。このようにすることで、部材点数の削減を図ることができる。
さらに、前記各実施形態では、第１の遮光部材１１及び第２の遮光部材１２の変形部１１２Ａ１，１２２Ａ１は、取り付け部１１２Ａ３，１１２Ａ２、取り付け部１２２Ａ３，１２２Ａ２よりも薄肉状に形成されているとしたが、取り付け部１１２Ａ３，１１２Ａ２，１２２Ａ３，１２２Ａ２と略同様の厚みを備えるものとしてもよい。
【００９０】
また、前記各実施形態では、投写レンズ３の外周には、第２の遮光部材１２が取り付けられるとしたが、これに限らず、第２の遮光部材１２はなくてもよい。例えば、投写レンズ位置調整装置において、投写レンズとの間に隙間が生じないような場合や、第１の遮光部材１１のみで充分に遮光できるような場合には、第２の遮光部材１２を省くことができる。これにより、部材点数の削減及びプロジェクタ１のコストを削減することができる。
さらに、前記各実施形態では、３つの光変調装置を用いたプロジェクタ１の例のみを挙げたが、１つの光変調装置のみを用いたプロジェクタ、２つの光変調装置を用いたプロジェクタ、あるいは、４つ以上の光変調装置を用いたプロジェクタにも適用可能である。
【００９１】
上記実施形態では、透過型のプロジェクタに本発明を適用した場合の例について説明したが、本発明は、反射型プロジェクタにも適用することが可能である。ここで「透過型」とは、液晶パネル等の光変調装置が光を透過するタイプであることを意味しており、「反射型」とは、光変調装置が光を反射するタイプであることを意味している。また、光変調装置は液晶パネルに限られず、マイクロミラーを用いたものであっても良い。なお、光源から投写光学系に至るまでの光学系の構成は、光変調装置や光源の種類等によって異なることがあるが、本発明は、投写光学系を備えるあらゆるタイプのプロジェクタに適用することが可能である。
【産業上の利用可能性】
【００９２】
本発明は、会議、学会、展示会等でのプレゼンテーション等で使用されるプロジェクタに利用することができる。
【図面の簡単な説明】
【００９３】
【図１】本発明の第１実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるプロジェクタのロアーケース及びフロントケースを上方から見た斜視図。
【図５】前記実施形態におけるプロジェクタの内部構造を示す斜視図。
【図６】前記実施形態における光学ユニットの光学系の模式図。
【図７】前記実施形態における内部ケース（ライトガイド）を示す斜視図。
【図８】前記実施形態における投写レンズ位置調整装置を示す斜視図。
【図９】投写レンズによる画像の投写位置を示す模式図。
【図１０】前記投写レンズ位置調整装置を示す分解斜視図。
【図１１】前記投写レンズ位置調整装置の要部を示す分解斜視図。
【図１２】前記投写レンズ位置調整装置を示す分解斜視図。
【図１３】第１の遮光部材及び第２の遮光部材が取り付けられた投写レンズを示す斜視図。
【図１４】前記第１の遮光部材を示す分解斜視図。
【図１５】前記投写レンズ、第１の遮蔽部材及び第２の遮蔽部材の断面図。
【図１６】前記第２の遮蔽部材を示す分解斜視図。
【図１７】本発明の第２実施形態にかかる投写レンズ位置調整装置の要部を示す斜視図。
【図１８】前記第２実施形態にかかるダイアルの回転数と、回転トルクとの関係を示す図。
【符号の説明】
【００９４】
１…プロジェクタ、２…外装ケース、３…投写レンズ、３０…投写レンズ位置調整装置、３３…基部、３６，３７…ばね片（付勢部材）、３１１…第１のダイアル，３２１…第２のダイアル，３２１’…第２のダイアル、３１２…第１の伝達部，３２２…第２の伝達部、３１４…Ｙスライダ、３２４…Ｘスライダ、３１４Ｃ，３２４Ｃ，３２１Ｆ…凹部
【図１】
2005062852.tif 000003
【図２】
2005062852.tif 000004
【図３】
2005062852.tif 000005
【図４】
2005062852.tif 000006
【図５】
2005062852.tif 000007
【図６】
2005062852.tif 000008
【図７】
2005062852.tif 000009
【図８】
2005062852.tif 000010
【図９】
2005062852.tif 000011
【図１０】
2005062852.tif 000012
【図１１】
2005062852.tif 000013
【図１２】
2005062852.tif 000014
【図１３】
2005062852.tif 000015
【図１４】
2005062852.tif 000016
【図１５】
2005062852.tif 000017
【図１６】
2005062852.tif 000018
【図１７】
2005062852.tif 000019
【図１８】
2005062852.tif 000020